(57)【特許請求の範囲】
【請求項１】
複数の携帯端末機（１０ａ、１０ｂ、１０ｃ）と通信可能な通信部（１１０）と、
前記通信部（１１０）を介して、複数の前記携帯端末機（１０ａ、１０ｂ、１０ｃ）のそれぞれから楽曲の再生要求を受付けると共に、前記再生要求を受付けた楽曲を再生リスト（１２１）として作成するリスト作成部（１２０）と、
前記再生リスト（１２１）に基づいて、前記楽曲の楽曲データを再生する再生部（１３０）とを備えることを特徴とする車両用オーディオ装置。
【請求項２】
前記再生部（１３０）による前記楽曲データの再生中に、再生を待機している楽曲の待機リスト（１４１）を表示する表示部（１４０）を備えることを特徴とする請求項１に記載の車両用オーディオ装置。
【請求項３】
前記待機リスト（１４１）には、再生要求を行った前記携帯端末機（１０ａ、１０ｂ、１０ｃ）のユーザを識別可能なアイコン（１４１ｂ）が、前記楽曲と並んで表示されることを特徴とする請求項２に記載の車両用オーディオ装置。
【請求項４】
前記再生部（１３０）は、前記携帯端末機（１０ａ、１０ｂ、１０ｃ）、あるいは前記携帯端末機（１０ａ、１０ｂ、１０ｃ）に関連付けされた外部の記憶領域に記憶された前記楽曲データを再生することを特徴とする請求項１〜請求項３のいずれか１つに記載の車両用オーディオ装置。
【請求項５】
前記楽曲データを記憶する記憶部（１５０）を備えており、
前記再生部（１３０）は、前記記憶部（１５０）に記憶された前記楽曲データを再生することを特徴とする請求項１〜請求項３のいずれか１つに記載の車両用オーディオ装置。
【請求項６】
前記通信部（１１０）は、通信による複数の前記携帯端末機（１０ａ、１０ｂ、１０ｃ）の接続状態を定期的に確認し、
接続状態から離脱された携帯端末機、あるいは接続状態が追加された携帯端末機があると、
前記リスト作成部（１２０）は、前記再生リスト（１２１）を更新することを特徴とする請求項１〜請求項５のいずれか１つに記載の車両用オーディオ装置。
【発明の詳細な説明】
【技術分野】
【０００１】
本発明は、携帯端末機に保存された音楽データを車載機にて再生可能とする車両用オーディオ装置に関するものである。
【背景技術】
【０００２】
従来の車両用オーディオ装置として、例えば、特許文献１に記載されたものが知られている。特許文献１の車両用オーディオ装置は、車載機に対して携帯端末機が、有線通信、あるいは無線通信によって接続されると、携帯端末機に保存された音楽データが車載機によって再生されるようになっている。
【先行技術文献】
【特許文献】
【０００３】
【特許文献１】特開２０１３−１０３５０８号公報
【発明の概要】
【発明が解決しようとする課題】
【０００４】
今や携帯端末機は、一人ひとりが所有する時代となっている。そのため、複数人が車両に搭乗している場合であると、各人のお気に入りの曲を順に流したいといった要望が生じてくると予測される。
【０００５】
しかしながら、上記特許文献１の車両用オーディオ装置では、特定の１つの携帯端末機に保存された音楽データを再生することしか想定されていない。
【０００６】
本発明の目的は、上記問題に鑑み、複数の携帯端末機から再生要求された楽曲を、車内で順に再生することができる車両用オーディオ装置を提供することにある。
【課題を解決するための手段】
【０００７】
本発明は上記目的を達成するために、以下の技術的手段を採用する。
【０００８】
本発明では、車両用オーディオ装置において、
複数の携帯端末機（１０ａ、１０ｂ、１０ｃ）と通信可能な通信部（１１０）と、
通信部（１１０）を介して、複数の携帯端末機（１０ａ、１０ｂ、１０ｃ）のそれぞれから楽曲の再生要求を受付けると共に、再生要求を受付けた楽曲を再生リスト（１２１）として作成するリスト作成部（１２０）と、
再生リスト（１２１）に基づいて、楽曲の楽曲データを再生する再生部（１３０）とを備えることを特徴としている。
【０００９】
この発明によれば、リスト作成部（１２０）は、通信部（１１０）を介して、複数の携帯端末機（１０ａ、１０ｂ、１０ｃ）から送信される楽曲の再生要求を受付け、受付けた楽曲の再生リスト（１２１）を作成する。更に、再生部（１３０）は、再生リスト（１２１）に基づいて、楽曲データを再生するようにしているので、複数の携帯端末機（１０ａ、１０ｂ、１０ｃ）から再生要求された楽曲を、容易に車内で順に再生することが可能となる。
【００１０】
尚、上記各手段の括弧内の符号は、後述する実施形態記載の具体的手段との対応関係を示すものである。
【図面の簡単な説明】
【００１１】
【図１】第１実施形態における車両用オーディオ装置全体の構成を示す構成図である。
【図２】再生リストを示す説明図である。
【図３】第２実施形態における車両用オーディオ装置全体の構成を示す構成図である。
【図４】表示部に表示される待機リストを示す説明図である。
【図５】第３実施形態における車両用オーディオ装置全体の構成を示す構成図である。
【図６】第４実施形態における車両用オーディオ装置が実施する制御内容を示すフローチャートである。
【発明を実施するための形態】
【００１２】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示していなくても実施形態同士を部分的に組み合せることも可能である。
【００１３】
（第１実施形態）
第１実施形態における車両用オーディオ装置（以下、オーディオ装置）１００Ａについて、図１、図２を用いて説明する。オーディオ装置１００Ａは、車両に搭載されており、車両に搭乗した複数（例えば３人）の乗員（ユーザ）からの楽曲の再生要求に応じて、要求された楽曲の楽曲データを順に再生可能とする装置となっている。オーディオ装置１００Ａは、図１に示すように、各乗員の携帯端末機１０ａ、１０ｂ、１０ｃとの通信によって連動するようになっており、通信部１１０、リスト作成部１２０、および再生部１３０等を備えている。
【００１４】
ここで、各携帯端末機１０ａ、１０ｂ、１０ｃは、各乗員によってそれぞれ携帯される携帯通信機器であり、例えば、スマートフォン等の多機能携帯電話機が使用される。各携帯端末機１０ａ、１０ｂ、１０ｃは、電話用通信による通話、メール、およびインターネット接続、更に、Ｂｌｕｅｔｏｏｔｈ（登録商標）等の短距離無線通信等による他の機器（ここではオーディオ装置１００Ａ）との接続（通信）が可能となっている。また、各携帯端末機１０ａ、１０ｂ、１０ｃは、オーディオとしての機能も備えており、予め記憶された各種楽曲データの再生が可能となっている。
【００１５】
尚、各携帯端末機１０ａ、１０ｂ、１０ｃとしては、上記のような多機能携帯電話機に代えて、例えば、ウォークマン（登録商標）、ｉＰｏｄ（登録商標）等の、Ｂｌｕｅｔｏｏｔｈ、あるいはＷｉ−Ｆｉ等による通信機能を備える音楽プレーヤー等としてもよい。
【００１６】
本実施形態では、各乗員は、車両に搭乗したときに、各自のお気に入りの楽曲データを車内のオーディオ装置１００Ａによって再生させるために、上記のような短距離無線通信によって後述する通信部１１０に再生要求を送信できるようになっている。再生要求は、例えば、各携帯端末機１０ａ、１０ｂ、１０ｃがそれぞれ保有する個別の認証用ＩＤと、記憶された各種楽曲データの中から選択された曲名データと、がセットで送信されるものとなっている。
【００１７】
オーディオ装置１００Ａにおいて、通信部１１０は、短距離無線通信によって、各携帯端末機１０ａ、１０ｂ、１０ｃとの通信を可能とするものとなっている。通信部１１０は、各携帯端末機１０ａ、１０ｂ、１０ｃの認証用ＩＤをもとに、各携帯端末機１０ａ、１０ｂ、１０ｃを識別して、それぞれの携帯端末機１０ａ、１０ｂ、１０ｃとの通信ができるようになっている。通信部１１０は、各携帯端末機１０ａ、１０ｂ、１０ｃからの再生要求を受信するようになっている。
【００１８】
リスト作成部１２０は、通信部１１０と接続されており、通信部１１０が受付けた再生要求に基づいて、図２に示すように、再生リスト１２１を作成するようになっている。再生リスト１２１は、各乗員からの再生要求の受付けの順番で、要求された曲名データ、つまりリクエスト曲名１２１ａを並べたものである。
【００１９】
再生部１３０は、リスト作成部１２０と接続されており、リスト作成部１２０で作成された再生リスト１２１に基づいて、リストアップされた楽曲の楽曲データを再生するようになっている。ここでは、再生部１３０は、各携帯端末機１０ａ、１０ｂ、１０ｃに保存された楽曲データを再生する。
【００２０】
本実施形態では、車両に搭乗した各乗員は、それぞれ、各携帯端末機１０ａ、１０ｂ、１０ｃによってオーディオ装置１００Ａの通信部１１０に対して、お気に入りの楽曲データを再生させるための再生要求を行う。各乗員は、各携帯端末機１０ａ、１０ｂ、１０ｃに記憶された各種楽曲データの中から再生を希望する曲名データを選んで、通信部１１０に送信することで再生要求を行う。このとき、曲名データには、各認証用ＩＤがセットされて、送信されることになる。
【００２１】
通信部１１０は、各携帯端末機１０ａ、１０ｂ、１０ｃから送信された曲名データ、認証用ＩＤを受信する。すると、リスト作成部１２０では、受信された順番に、曲名データ（リクエスト曲名１２１ａ）が並ぶように、再生リスト１２１を作成する。
【００２２】
そして、再生部１３０は、再生リスト１２１に基づき、再生リスト１２１に並ぶ曲名データの順番で、楽曲データを再生していく。楽曲データの再生にあたっては、曲名データに付属される認証用ＩＤから、各携帯端末機１０ａ、１０ｂ、１０ｃのうち、どの携帯端末機から送信されたものかを特定し、その携帯端末機（例えば１０ａ）と通信する。そして、この通信を用いて携帯端末機１０ａに記憶されている楽曲データのうち、再生すべき曲名データに対応する楽曲データを再生する。
【００２３】
このように、リスト作成部１２０は、通信部１１０を介して、複数の携帯端末機１０ａ、１０ｂ、１０ｃから送信される楽曲の再生要求を受付け、受付けた楽曲の再生リスト１２１を作成する。更に、再生部１３０は、再生リスト１２１に基づいて、楽曲データを再生するようにしているので、複数の携帯端末機１０ａ、１０ｂ、１０ｃから再生要求された楽曲を、容易に車内で順に再生することが可能となる。
【００２４】
再生部１３０は、楽曲データを再生する際に、複数の携帯端末機１０ａ、１０ｂ、１０ｃに記憶された楽曲データを通信によって再生することが可能となる。
【００２５】
（第２実施形態）
第２実施形態のオーディオ装置１００Ｂを図３、図４に示す。第２実施形態は、上記第１実施形態に対して、オーディオ装置１００Ｂに表示部１４０を追加すると共に、この表示部１４０に待機リスト１４１を表示させるようにしたものである。
【００２６】
表示部１４０は、例えば、液晶ディスプレイ装置によって形成されたもので、乗員の見やすい位置として、車両のインストルメントパネルの中央部上側に配置されている。表示部１４０は、例えば、車両用空調装置の入力用スイッチアイコンおよび作動状態等の表示、車両用ナビゲーション装置による地図および目的地案内等の表示、あるいは、オーディオ装置１００Ｂの作動状態の表示等を行うようになっている。表示部１４０による各表示は、乗員の操作によって画面切替えされるものとなっている。
【００２７】
表示部１４０は、図３に示すように、再生部１３０と接続されており、再生部１３０による、再生リスト１２１上の楽曲データの再生状況を把握可能となっている。そして、表示部１４０は、再生部１３０による楽曲データの再生中に、図４に示すように、待機リスト１４１を表示するようになっている。
【００２８】
待機リスト１４１は、例えば、再生要求された各曲名データのうち、現在再生されている楽曲、および再生を待機している楽曲の曲名データ、即ち、待機リクエスト曲名１４１ａを順に並べたものである。ここで、各携帯端末機１０ａ、１０ｂ、１０ｃには、再生要求する際に、認識用ＩＤおよび曲名データに加えて、各乗員を識別可能とするアイコン１４１ｂ（似顔絵等の映像データ）がセットで送信されるようになっている。このアイコン１４１ｂは、待機リスト１４１の待機リクエスト曲名１４１ａと並んで表示されるようになっている。
【００２９】
これにより、各乗員は、表示部１４０に表示される待機リスト１４１を見ることによって、自分が再生要求した楽曲の受付けが確実になされたこと、および再生される順番を知ることができる。
【００３０】
また、各乗員は、待機リスト１４１において、アイコン１４１ｂによって、自分が再生要求した楽曲を容易に識別することが可能になる。
【００３１】
尚、待機リスト１４１におけるアイコン１４１ｂ表示は、必要に応じて実施すればよく、廃止したものとしてもよい。
【００３２】
（第３実施形態）
第３実施形態のオーディオ装置１００Ｃを図５に示す。第３実施形態は、上記第１実施形態に対して、オーディオ装置１００Ｃに記憶部１５０を追加したものである。
【００３３】
記憶部１５０は、複数の楽曲データを予め記憶するものであり、任意の複数の楽曲データが乗員の入力操作によって予め記憶されている。各乗員は、各携帯端末機１０ａ、１０ｂ、１０ｃから通信部１１０を介した通信によって、記憶部１５０に記憶された複数の楽曲データの曲名の一覧を検索することが可能となっている。
【００３４】
そして、各乗員は、記憶部１５０の中からお気に入りの楽曲データを選択して、その曲名データを用いて再生要求を行うことができる。このような再生要求によってリスト作成部１２０は再生リスト１２１を作成し、更に再生部１３０は再生リスト１２１に基づいて記憶部１５０にある楽曲データを再生する。
【００３５】
これにより、複数の携帯端末機１０ａ、１０ｂ、１０ｃに楽曲データが記憶されていなくとも、記憶部１５０に記憶された楽曲データを活用して、種々の楽曲の再生要求および再生が可能となる。
【００３６】
（第４実施形態）
第４実施形態を図６に示す。第４実施形態は、上記第１実施形態の車両用オーディオ装置１００Ａに対して、通信部１１０およびリスト作成部１２０による制御内容を変更したものである。図６は、その制御内容を示すフローチャートである。
【００３７】
まず、ステップＳ１００にて、通信部１１０は、各携帯端末機１０ａ、１０ｂ、１０ｃとの接続状態を確認する。つまり、通信部１１０は、複数の携帯端末機１０ａ、１０ｂ、１０ｃにおいて、継続して接続状態にあるのか、あるいは接続状態から離脱された携帯端末機があるか、あるいは新たに接続状態が追加された携帯端末機があるか、ということを確認する。
【００３８】
そして、ステップＳ１１０にて、通信部１１０は、接続状態から離脱された携帯端末機があるか、あるいは、接続状態が追加された携帯端末機があるかを判定する。ステップＳ１１０で肯定判定すると、ステップＳ１２０に移行する。
【００３９】
そして、ステップＳ１２０では、リスト作成部１２０は、再生リスト１２１の更新を行う。即ち、リスト作成部１２０は、接続状態から離脱された携帯端末機があると、その携帯端末機の再生要求によってリストアップしていたリクエスト曲名１２１ａを削除する。あるいは、再生部１３０による再生時に、そのリクエスト曲をスキップさせるようにする。また、リスト作成部１２０は、接続状態が追加された携帯端末機があると、本来の制御と同様に、その携帯端末機による再生要求に基づいて、再生リスト１２１にリクエスト曲名１２１ａをリストアップする。そして、スタートに戻る。
【００４０】
尚、ステップＳ１１０で否定判定をすると、リスト作成部１２０は、再生リスト１２１の更新は行わずに、スタートに戻る。上記ステップＳ１００〜ステップＳ１２０は、予め定められた所定時間ごとに繰り返し行われるようになっており、よって、本実施形態では、各携帯端末機１０ａ、１０ｂ、１０ｃの接続状態が定期的に確認されて、接続状態の変化に応じて再生リスト１２１が更新されることになる。
【００４１】
これにより、乗員の再生要求をタイムリーに把握して、乗員のリクエスト曲を過不足なく再生することが可能となる。尚、本実施形態における制御内容は、上記第２実施形態、あるいは上記第３実施形態に組み合わされるものとしてもよい。
【００４２】
（その他の実施形態）
上記第１実施形態では、各携帯端末機１０ａ、１０ｂ、１０ｃに記憶された楽曲データを再生要求により再生するものとし、また上記第３実施形態では、記憶部１５０に記憶された楽曲データを再生要求により再生するものとした。しかしながら、それぞれの実施形態に限定されることなく、上記第１実施形態、および第３実施形態を組み合わせたものとしてもよい。つまり、各携帯端末機１０ａ、１０ｂ、１０ｃに記憶された楽曲データ、および記憶部１５０に記憶された楽曲データを再生要求に応じて再生するものとしてもよい。これにより、より多くの楽曲データの中から、再生要求することが可能となる。
【００４３】
また、この第１、第３実施形態の組合せに、更に第２実施形態の表示部１４０を設けたものとしてもよい。これにより、第２実施形態の効果を奏するものとすることができる。
【００４４】
また、上記第１実施形態、第２実施形態、第４実施形態では、各乗員は、自分の各携帯端末機１０ａ、１０ｂ、１０ｃに記憶された楽曲データを再生するための再生要求を行うようにした。しかしながら、これに限定されることなく、各携帯端末機１０ａ、１０ｂ、１０ｃに関連付けされた外部の記憶領域に記憶された楽曲データを再生するようにしてもよい。外部の記憶領域は、例えば、ネットワーク越しにサービス利用可能なクラウドである。クラウドは、例えばデータセンターや、その中で運用されているサーバ群である。これにより、複数の携帯端末機１０ａ、１０ｂ、１０ｃに楽曲データが記憶されていなくとも、外部の記憶領域から種々の楽曲の再生要求および再生が可能となる。
【００４５】
また、上記第１実施形態、第２実施形態、第４実施形態では、各乗員は、自分の各携帯端末機１０ａ、１０ｂ、１０ｃに記憶された楽曲データを再生するための再生要求を行うようにした。しかしながら、これに限定されることなく、各携帯端末機１０ａ、１０ｂ、１０ｃの間で通信することで、他の乗員の持っている楽曲データを検索して、その中からお気に入りの楽曲の再生要求を行うようにしてもよい。
【符号の説明】
【００４６】
１０ａ、１０ｂ、１０ｃ  携帯端末機
１００Ａ、１００Ｂ、１００Ｃ  車両用オーディオ装置
１１０  通信部
１２０  リスト作成部
１２１  再生リスト
１３０  再生部
１４０  表示部
１４１  待機リスト
１４１ａ  アイコン
１５０  記憶部
【図１】
0006337658.tif 000002
【図２】
0006337658.tif 000003
【図３】
0006337658.tif 000004
【図４】
0006337658.tif 000005
【図５】
0006337658.tif 000006
【図６】
0006337658.tif 000007